【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】
同一空間上に複数の無線ネットワークが形成された無線ネットワーク・システムであって、
各無線ネットワークは固有の表示色を持ち、無線ネットワークを形成する各無線通信装置は自己ネットワークの表示色を表示出力し、
無線ネットワークに新規参入する無線通信装置は、参入可能な無線ネットワークの表示色を所定の時間間隔で表示出力する、
ことを特徴とする無線ネットワーク・システム。
【請求項２】
前記の無線ネットワークに新規参入する無線通信装置において、参入すべきネットワークを選択するユーザ操作が印加された時点で表示出力された表示色に該当するネットワークへの参入処理を行なう、
ことを特徴とする請求項１に記載の無線ネットワーク・システム。
【請求項３】
同一空間上に複数の無線ネットワークが形成された無線通信環境下で制御局として動作する無線通信装置であって、
自己の無線ネットワークの表示色を設定するネットワーク表示色設定手段と、
該設定した表示色を表示出力するネットワーク表示手段と、
を具備することを特徴とする無線通信装置。
【請求項４】
前記ネットワーク表示色設定手段は、設定した表示色が既に近隣の無線ネットワークによって使用されていることを検出したことに応答して、未使用の表示色を設定する、
ことを特徴とする請求項３に記載の無線通信装置。
【請求項５】
前記ネットワーク表示手段は、複数色の表示出力の組み合わせによりネットワーク表示色を出力することができ、
前記ネットワーク表示色設定手段は、単色の表示色の利用が可能であればその色を表示色として設定するが、不可能であれば複数色による表示色変化の設定を行なう、
ことを特徴とする請求項３に記載の無線通信装置。
【請求項６】
前記ネットワーク表示色設定手段は、前記ネットワーク表示手段における所定の点灯周期をｎ分割して、第１の表示色から第ｎの表示色を順次変化させることで、前記ネットワーク表示手段が持つ表示色数のｎ乗に相当する表示の組み合わせを実現する、
ことを特徴とする請求項５に記載の無線通信装置。
【請求項７】
前記ネットワーク表示色設定手段は、点灯周期の前後に消灯する時間を設ける、
ことを特徴とする請求項３に記載の無線通信装置。
【請求項８】
同一空間上に複数の無線ネットワークが形成された無線通信環境下で制御局として動作する無線通信装置のネットワーク状況表示方法であって、
自己の無線ネットワークの表示色を設定するネットワーク表示色設定ステップと、
該設定した表示色を表示出力するネットワーク表示ステップと、
を具備することを特徴とする無線通信装置のネットワーク状況表示方法。
【請求項９】
同一空間上に複数の無線ネットワークが形成された無線通信環境下で動作する無線通信装置であって、各無線ネットワークは固有の表示色を備え、
参入可能な無線ネットワーク及びその表示色を検出するネットワーク検出手段と、
該検出された無線ネットワークの表示色を所定の点灯周期毎に切り替えて交互に点灯表示するネットワーク表示手段と、
を具備することを特徴とする無線通信装置。
【請求項１０】
前記ネットワーク表示手段は、複数色の表示出力の組み合わせによりネットワーク表示色を出力する、
ことを特徴とする請求項９に記載の無線通信装置。
【請求項１１】
前記ネットワーク表示手段における表示色の点灯表示に連動して、各ネットワークへの参入を選択する選択期間を設定する選択期間設定手段と、
ユーザがネットワークへの参入を指示する選択入力手段と、
ユーザがネットワーク選択操作した選択期間に対応するネットワークへの参入処理を行なうネットワーク参入手段と、
をさらに備えることを特徴とする請求項９に記載の無線通信装置。
【請求項１２】
前記ネットワーク表示手段は、前記ネットワーク参入手段により参入したネットワークの固有の表示色を表示出力する、
ことを特徴とする請求項に記載１１の無線通信装置。
【請求項１３】
同一空間上に複数の無線ネットワークが形成された無線通信環境下で動作する無線通信装置のネットワーク状況表示方法であって、各無線ネットワークは固有の表示色を備え、
参入可能な無線ネットワーク及びその表示色を検出するネットワーク検出ステップと、
該検出された無線ネットワークの表示色を所定の点灯周期毎に切り替えて交互に点灯表示するネットワーク表示ステップと、
を具備することを特徴とする無線通信装置のネットワーク状況表示方法。
【請求項１４】
同一空間上に複数の無線ネットワークが形成された無線通信環境下で制御局として動作する無線通信装置におけるネットワーク状況の表示を行なうための処理をコンピュータ・システム上で実行するようにコンピュータ可読形式で記述されたコンピュータ・プログラムであって、前記コンピュータ・システムに対し、
自己の無線ネットワークの表示色を設定するネットワーク表示色設定手順と、
該設定した表示色を表示出力するネットワーク表示手順と、
を実行させることを特徴とするコンピュータ・プログラム。
【請求項１５】
同一空間上に複数の無線ネットワークが形成された無線通信環境下で動作する無線通信装置におけるネットワーク状況の表示を行なうための処理をコンピュータ・システム上で実行するようにコンピュータ可読形式で記述されたコンピュータ・プログラムであって、各無線ネットワークは固有の表示色を備え、前記コンピュータ・システムに対し、
参入可能な無線ネットワーク及びその表示色を検出するネットワーク検出手順と、
該検出された無線ネットワークの表示色を所定の点灯周期毎に切り替えて交互に点灯表示するネットワーク表示手順と、
を実行させることを特徴とするコンピュータ・プログラム。
【手続補正２】
【補正対象書類名】明細書
【補正対象項目名】００４８
【補正方法】変更
【補正の内容】
【００４８】
また、本発明の第４の側面は、同一空間上に複数の無線ネットワークが形成された無線通信環境下で制御局として動作する無線通信装置におけるネットワーク状況の表示を行なうための処理をコンピュータ・システム上で実行するようにコンピュータ可読形式で記述されたコンピュータ・プログラムであって、前記コンピュータ・システムに対し、
自己の無線ネットワークの表示色を設定するネットワーク表示色設定手順と、
該設定した表示色を表示出力するネットワーク表示手順と、
を実行させることを特徴とするコンピュータ・プログラムである。
【手続補正３】
【補正対象書類名】明細書
【補正対象項目名】００４９
【補正方法】変更
【補正の内容】
【００４９】
また、本発明の第５の側面は、同一空間上に複数の無線ネットワークが形成された無線通信環境下で動作する無線通信装置におけるネットワーク状況の表示を行なうための処理をコンピュータ・システム上で実行するようにコンピュータ可読形式で記述されたコンピュータ・プログラムであって、各無線ネットワークは固有の表示色を備え、前記コンピュータ・システムに対し、
参入可能な無線ネットワーク及びその表示色を検出するネットワーク検出手順と、
該検出された無線ネットワークの表示色を所定の点灯周期毎に切り替えて交互に点灯表示するネットワーク表示手順と、
を実行させることを特徴とするコンピュータ・プログラムである。
【手続補正４】
【補正対象書類名】明細書
【補正対象項目名】００５８
【補正方法】変更
【補正の内容】
【００５８】
ここで、第１の無線ネットワーク１１には固有の表示色として赤色が割り当てられおり、ネットワーク１１を構成する各無線通信装置１１０〜１１３は赤色の表示を行なっている。また、第２の無線ネットワーク１２には固有の表示色として黄色が割り当てられおり、ネットワーク１２を構成する各無線通信装置１２０〜１２３は黄色の表示を行なっている。また、第３の無線ネットワーク１３には固有の表示色として緑色が割り当てられおり、ネットワーク１３を構成する各無線通信装置１３０〜１３４は緑色の表示を行なっている。